(57)【特許請求の範囲】
【請求項１】
中心部にセンターホールが形成され且つ前記センターホールと同心の環状凸部が形成された複数の光ディスクを収納するための収納容器において、
前記光ディスクのセンターホールに挿入可能な柱状部を備えた底板と、
内側に柱状部が配置されるように底板を被装可能なケーシングと、
前記柱状部に光ディスクを挿入した際に該光ディスクの前記環状凸部より内側に当接し且つ該光ディスクを底板方向に押圧する押圧部材とを備え、
前記ケーシングは、一端側が開口し且つ他端側が閉鎖した筒状体からなるとともに、該筒状体の閉鎖面の縁部には外側に向かって突出した凸部を備え、
前記底板は、柱状部の形成されていない面側にケーシングの前記凸部と係合する係合部を備え、
前記ケーシングの閉鎖面の中央部には前記柱状部の上端が貫通する中央孔が形成され、該中央孔の内縁部には中央孔の内側且つ底板方向に向かって前記押圧部材がケーシングと一体となって形成されており、
該押圧部材は、光ディスクの環状凸部より内側に当接することにより弾性変形し、光ディスクに対する弾性復帰力により該光ディスクを底板方向に押圧する
ことを特徴とする光ディスクの収納容器。
【請求項２】
前記底板は、前記柱状部に光ディスクを挿入した際に該光ディスクの前記環状凸部が当接する凸面を有する
ことを特徴とする請求項１記載の光ディスクの収納容器。
【請求項３】
前記ケーシングは、筒状体の直径が閉鎖面から開口面に向かって大きく形成されている
ことを特徴とする請求項１又は２記載の光ディスクの収納容器。
【請求項４】
前記ケーシングは、筒状体の開口部側における外周面が外側に張り出した張出部を備えている
ことを特徴とする請求項１乃至３何れか１項記載の光ディスクの収納容器。
【請求項５】
前記柱状部に着脱自在に係合してケーシングと底板とを一体に保持する蓋体を備えた
ことを特徴とする請求項１乃至４何れか１項記載の光ディスクの収納容器。
【発明の詳細な説明】
【０００１】
【発明の属する技術分野】
本発明は、各種光ディスクを収納するための光ディスク用収納容器に関するものである。
【０００２】
【従来の技術】
光ディスクには、再生専用ディスク・追記型ディスク・書換型ディスク等の種々のものが存在する。これら光ディスクは、通常、光ディスクのセンターホールに嵌合可能な部分を有する開閉可能なプラスチックケースに収納される。光ディスクは、この収納ケースに収納された状態のまま輸送され、また販売のために展示される。
【０００３】
【発明が解決しようとする課題】
従来の収納ケースには１つの収納ケースに２〜４枚の光ディスクを収納するようにしたものもあるが、基本的には、１つの嵌合部分に１枚の光ディスクのセンターホールを嵌め込んで収納する構造にある。このため、収納枚数の増加に伴って嵌合部分の数も増加し、結果として収納ケースの厚みが大きくなってしまうという不具合がある。また、収納ケースの厚みの割に収納枚数が少ないことから、輸送に際して収納ケースをまとめて梱包すると、枚数の割に梱包物の大きさと重量が増してしまう不具合がある。
【０００４】
本発明は、上記事情に鑑みてなされたものであり、その目的とするところは、複数枚の光ディスクをコンパクトに収納できる光ディスクの収納容器を提供することにある。
【０００５】
【課題を解決するための手段】
上記目的を達成するために、請求項１では、中心部にセンターホールが形成され且つ前記センターホールと同心の環状凸部が形成された複数の光ディスクを収納するための収納容器において、前記光ディスクのセンターホールに挿入可能な柱状部を備えた底板と、内側に柱状部が配置されるように底板を被装可能なケーシングと、前記柱状部に光ディスクを挿入した際に該光ディスクの前記環状凸部より内側に当接し且つ該光ディスクを底板方向に押圧する押圧部材とを備え、前記ケーシングは、一端側が開口し且つ他端側が閉鎖した筒状体からなるとともに、該筒状体の閉鎖面の縁部には外側に向かって突出した凸部を備え、前記底板は、柱状部の形成されていない面側にケーシングの前記凸部と係合する係合部を備え、前記ケーシングの閉鎖面の中央部には前記柱状部の上端が貫通する中央孔が形成され、該中央孔の内縁部には中央孔の内側且つ底板方向に向かって前記押圧部材がケーシングと一体となって形成されており、該押圧部材は、光ディスクの環状凸部より内側に当接することにより弾性変形し、光ディスクに対する弾性復帰力により該光ディスクを底板方向に押圧することを特徴とするものを提案する。
【０００６】
本発明によれば、センターホールに柱状部を挿通させることにより複数の光ディスクを底板上に積み重ねて収納できる。また、押圧部材が光ディスクの環状凸部より内側を底板方向に押圧するので、光ディスクの上下動を抑えると共に、光ディスクの記録面が隣り合う光ディスクと衝突することがない。これにより、複数の光ディスクを安全に収納できる。このように、本発明に係る光ディスクの収納容器によれば、複数の光ディスクをコンパクトに且つ安全に収納できる。また、本発明によれば、ケーシングに凸部が形成され且つ底板には該凸部と係合する係合部が形成されているので、複数のディスク収納容器を積み重ねた際に前記凸部と係合部が係合する。したがって、複数のディスク収納容器に光ディスクを納めてこれらを積み重ねれば大量の光ディスクをさらにコンパクトに収納できる。
【０００７】
また、請求項２では、請求項１記載の光ディスクの収納容器において、前記底板は、前記柱状部に光ディスクを挿入した際に該光ディスクの前記環状凸部が当接する凸面を有することを特徴とするものを提案する。
【０００８】
本発明によれば、底板に光ディスクの環状凸部と当接する凸面が形成されているので、光ディスクの記録面の保護を確実に行うことができるので、光ディスクのさらに安全な収納が可能となる。
【００１１】
さらに、請求項３では、請求項１又は２記載の光ディスクの収納容器において、前記ケーシングは、筒状体の直径が閉鎖面から開口面に向かって大きく形成されていることを特徴とするものを提案する。
【００１２】
本発明によれば、筒状体の直径が非一様に形成されているので、ケーシングの強度が向上する。また、一方のケーシングの開口部に他方のケーシングの閉鎖部を挿入することにより複数のケーシングのみを積み重ねることができるので、例えば収納容器の製造過程などにおいて狭い保管場所であっても大量のケーシングを保管できる。
【００１３】
さらに、請求項４では、請求項１乃至３何れか１項記載の光ディスクの収納容器において、前記ケーシングは、筒状体の開口部側における外周面が外側に張り出した張出部を備えていることを特徴とするものを提案する。
【００１４】
本発明によれば、筒状体の直径が非一様に形成されているので、ケーシングの強度が向上する。特に、収納容器の製造時など複数のケーシングのみを重ねて保管する際における強度に優れたものとなる。
【００１６】
【発明の実施の形態】
（第１の実施の形態）
本発明の第１の実施の形態に係る光ディスクの収納容器について図面を参照して説明する。図１は光ディスクの外観斜視図、図２は図１におけるＡ−Ａ’線拡大断面図、図３は光ディスクの収納容器の外観斜視図、図４は光ディスクの収納容器の分解斜視図、図５は光ディスクの収納容器の断面図である。
【００１７】
この光ディスクの収納容器（以下「収納容器」と言う。）では、図１に示すような光ディスク１０を複数収納する。光ディスク１０は、音楽用ＣＤ・ＣＤ−ＲＯＭ・記録可能なＣＤ−Ｒ・書換可能なＣＤ−ＲＷなどの各種ＣＤや、ＤＶＤ−ＶＩＤＥＯ・ＤＶＤ−ＲＡＭ・ＤＶＤ−ＲＷ・ＤＶＤ＋ＲＷなど各種ＤＶＤなどである。ここで、光ディスク１０は、記録方式・サイズ・片面／両面方式などの種類は問わない。本実施の形態では、光ディスク１０として複数（例えば５０枚）のＣＤ−Ｒを収納するものとする。
【００１８】
光ディスク１０は、ポリカーボネートなどの基板に情報記録層が形成されており、片面側はラベル面１１となっている。光ディスク１０の中心部には、センターホール１２が形成されている。また、センターホール１２の周縁部には、再生装置又は記録装置などにおいて駆動機構が挟持するためのクランプ部１３を備えている。クランプ部１３は、ラベル面１１の内側に形成されている。このクランプ部１３は、通常、前記基板が露出してなる。光ディスク１０の前記ラベル面１１とは反対側の面には、図２に示すように、クランプ部１３の周縁部にスタックリング１４が形成されている。このスタックリング１４は、光ディスク１０の中心に対して断面半円状で環状に突出形成されている。このスタックリング１４により、複数の光ディスク１０を積み重ねても光ディスク１０の記録層が互いに接触しないので、該接触による損傷を防止できる。
【００１９】
収納容器１００は、図３乃至図５に示すように、中心部に支柱１１０が立設した底板１２０と、支柱１１０を覆うように配置されたケーシング１３０と、支柱１１０と係合する蓋１４０とを備えている。
【００２０】
支柱１１０は、光ディスク１０のセンターホール１２に挿入可能な直径を有している。支柱１１０は、中空構造を有している。支柱１１０は、その上端部に前記蓋１４０と係合するネジ溝が形成されたネジ部１１１を備えている。支柱１１０の下部には、円板状の基台１１２が一体に形成されている。支柱１１０は、底板１２０の中央部に形成された孔に底面側から挿入して該底板１２０に付設されている。基台１１２の底面中央部には、後述する蓋１４０の軸部１４３の上端と係合するように凹部１１３が形成されている。
【００２１】
底板１２０は、外縁部にリム１２１を備えている。リム１２１の内側上面にはケーシング１３０の下縁部が係合する溝部１２２が形成されている。底板１２０の中心部には挿通孔（図示省略）が形成されている。この挿通孔には、前述したように底面側から支柱１１０が挿入されている。挿通孔の周辺における上面は、僅かに突出した凸面１２４が形成されている。凸面１２４は、挿入された支柱１１０の基台１１２の上面と面一になっている。この凸面１２４は、図６の拡大断面図に示すように、支柱１１０に光ディスク１０を挿入した際にスタックリング１４が該凸面１２４に当接するように、スタックリング１４より直径が大きく形成されている。
【００２２】
底板１２０の底面側には、収納容器１００を積み重ねた際にケーシング１３０の上面周縁部と係合する一対の環状の凸部１２５及び１２６が形成されている。すなわち、図７に示すように、複数の収納容器１００を積み重ねると、外側凸部１２５と内側凸部１２６の間にケーシング１３０の上面周縁部が係合する。凸部１２５及び１２６の底面はリム１２１の底面とほぼ同一面となっている。
【００２３】
ケーシング１３０は、プラスチック等の材料からなり、底面側に向かって直径が大きくなる上面閉鎖の筒状体をなしている。ケーシング１３０の下縁部には、外側に向かって突出したリブ１３１が形成されている。ケーシング１３０は、上面周縁部に凸部１３２を備えている。ケーシング１３０は、凸部１３２の外側周縁部から周面に亘って滑らかに曲線を描いている。また、ケーシング１３０は、凸部１３２の内側周縁部から上面に亘って滑らかな曲線を描いている。換言すると、凸部１３２の上端面を基準にすれば、ケーシング１３０の上面中央部には凹部が形成されている。この凸部１３２は、前述したように、複数の収納容器１００を積み重ねた際に底板１２０の凸部１２５及び１２６の間に係合する。
【００２４】
ケーシング１３０の上面中央部には、中心に支柱１１０の上端が配置されるように形成された中央孔１３３が形成されている。また、中央孔１３３の外側には、蓋１４０と係合する環状のリム１３４が突出している。さらに、ケーシング１３０は、支柱１１０に挿入された光ディスク１０を底面方向に押圧する複数の押圧片１３５を中央孔１３３の内側に備えている。押圧片１３５はケーシング１３０と一体に形成されている。押圧片１３５は中央孔１３３の縁部との接続部１３６を弾性変形させることにより、光ディスク１０に対して弾性復帰力を作用させる。ここで、光ディスク１０と当接する押圧片１３５は、図８の上面図及び図９の拡大断面図に示すように、スタックリング１４よりも内側において光ディスク１０と当接するように配置されている。このようにスタックリング１４よりも内側を底面方向に押圧しているので、積み重ねて収納された光ディスク１０の記録面が互いに衝突することがない。
【００２５】
ケーシング１３０の底面側約１／３は、周面が外側に僅かに張り出した張出部１３７が形成されている。すなわち、張出部１３７の上端には段差が形成されている。この張出部１３７により、ケーシング１３０の強度が向上する。特に、収納容器１００の製造時などにおいて多量のケーシング１３０を保管する際には、図１０に示すように、一のケーシング１３０の内側に他のケーシング１３０を被装するように積み重ねる。このとき、一のケーシング１３０のリブ１３１が前記張出部１３７と係合するので、ケーシング１３０を安定して積み重ねることができるとともにケーシング１３０の破損を防止できる。
【００２６】
蓋１４０は、図９の外観斜視図及び図１０の断面図に示すように、外縁部に形成されたリム１４１と、底面側にネジ孔１４２が形成された軸部１４３を備えている。ネジ孔１４２は、支柱１１０のネジ部１１１と螺合する。さらに、蓋１４０の底面側には、軸部１４３からリム１４１に亘って放射状に複数形成された補強用のリブ１４４と、軸部１４３を中心として環状に形成された環状凸部１４５が形成されている。蓋１４０の高さは、支柱１１０と係合してケーシング１３０の上面に配置された際に、上面がケーシング１３０の凸部１３２の上面と一致するように形成されている。また、軸部１４３の上端は、前述したように、支柱１１０の底面中央に形成された凹部１１３と係合する形状となっている。さらに、環状凸部１４５は、リム１４１の底面よりも下方に突出する高さとなっている。この環状凸部１４５は、図９に示すように、例えば光ディスク１０の厚みが大きい場合など押圧片１３５が蓋１４０側に弾性変形した際に、該押圧片１３５に当接する。これにより、押圧片１３５の破損及び光ディスク１０がケーシング１３０の上部内面に衝突することを防止する。
【００２７】
このような収納容器１００では、図１１の断面図に示すように、複数の光ディスク１０のセンターホール１２を支柱１１０に挿入した状態で収納する。具体的には、支柱１１０に光ディスク１１０を挿入した後に、ケーシング１３０を下縁部が底板１２０の溝部１２２と係合するように被装する。そして、蓋１４０を支柱１１０のネジ部１１１と螺合させてケーシング１３０と底板１２０を一体に保持する。このとき、ケーシング１３０の押圧片１３５が光ディスク１０を底面方向に押圧するので、収納容器１００内において光ディスク１０が押圧片１３５と底板１２０の間に確実に挟持された状態になる。したがって、本実施の形態に係る収納容器１００によれば、複数の光ディスク１０をコンパクトに且つ安全に収納できる。
【００２８】
また、この収納容器１００では、押圧片１３５がスタックリング１４よりも内側を底面方向に押圧しているので、積み重ねて収納された光ディスク１０の記録面が互いに衝突することがない。特に、押圧片１３５による押圧力のバランスが悪くなっても、押圧片１３５に接する光ディスク１０が傾いて、その記録面が該光ディスク１０の下にある光ディスク１０に接することを防止できる。
【００２９】
さらに、この収納容器１００を複数積み重ねると、ケーシング１３０の凸部１３２が底板１２０の底面に形成された凸部１２５及び凸部１２６の間に係合するとともに、蓋１４０の軸部１４３と支柱１１０の底面に形成された凹部１１３が係合するので、安定した積み重ねが可能となる。これにより、輸送や展示などを安定して実施することができる。
【００３０】
なお、本実施の形態では、光ディスク１０を底面方向に押圧する手段として、板バネの一種である押圧片１３５を用いたが、本発明はこれに限定されるものではない。他の形状の板バネ・ゴム・ワッシャーなど他の弾性部材を用いてもよい。例えば、図１４の拡大断面図に示すように、環状のゴム１３８を中央孔１３４の周縁部であって内側の面に付設してもよい。
【００３１】
また、本実施の形態では、蓋１４０の底面に環状凸部１４５を設けることにより押圧片１３５の過度な変形を防止していたが、この環状凸部１４５を設けなくてもよい。
【００３２】
（第２の実施の形態）
本発明の第２の実施形態に係る光ディスクの収納容器について図面を参照して説明する。図１５は光ディスクの収納容器の分解斜視図である。なお、本実施の形態では、第１の実施の形態と同様の光ディスクを収納する。また、図中、第１の実施の形態と同様の構成については同一の符号を付した。
【００３３】
この収納容器２００は、第１の実施の形態と同様に、中心部に支柱１１０が立設した底板１２０と、支柱１１０を覆うように配置されたケーシング２３０と、支柱１１０と係合する蓋２４０とを備えている。ここで、支柱１１０及び底板１２０の構造については第１の実施の形態に係るものと同様なので、ここでは説明を省略する。
【００３４】
ケーシング２３０は、プラスチック等の材料からなり、底面側に向かって直径が大きくなる上面閉鎖の筒状体をなしている。ケーシング２３０の下縁部には、外側に向かって突出したリブ２３１が形成されている。ケーシング２３０は、上面周縁部に凸部２３２を備えている。ケーシング２３０は、凸部２３２の外側周縁部から周面に亘って滑らかに曲線を描いている。また、ケーシング２３０は凸部２３２の内側周縁部から上面に亘って滑らかな曲線を描いている。換言すると、凸部２３２の上端面を基準にすれば、ケーシング２３０の上面中央部には凹部が形成されている。この凸部２３２は、前述したように、複数の収納容器２００を積み重ねた際に底板１２０の凸部１２５及び１２６の間に係合する。
【００３５】
ケーシング２３０の上面中央部には、中心に支柱１１０の上端が配置されるように形成された中央孔２３３が形成されている。また、中央孔２３３の外側には、蓋２４０と係合する環状のリム２３４が突出している。本実施の形態に係るケーシング２３０が第１の実施の形態に係るケーシング１３０と異なる点は、押圧片が形成されていない点にある。すなわち、本実施の形態に係る収納容器２００では、第１の実施の形態に係る押圧片１３５に相当するものを、後述する蓋２４０に設けている。
【００３６】
ケーシング２３０の底面側約１／３は、周面が外側に僅かに張り出した張出部２３５が形成されている。すなわち、張出部２３５の上端には段差が形成されている。この張出部２３５により、ケーシング２３０の強度が向上する。特に、収納容器２００の製造時などにおいて多量のケーシング２３０を保管する際には、一のケーシング２３０の内側に他のケーシング２３０を被装するように積み重ねる。このとき、一のケーシング２３０のリブ２３１が前記張出部２３５と係合するので、ケーシング２３０を安定して積み重ねることができるとともにケーシング２３０の破損を防止できる。
【００３７】
蓋２４０は、図１６の外観斜視図及び図１７の断面図に示すように、外縁部に形成されたリム２４１と、底面側にネジ孔２４２が形成された軸部２４３を備えている。ネジ孔２４２は、支柱１１０のネジ部１１１と螺合する。さらに、蓋２４０の底面側には軸部２４３からリム１４１に亘って放射状に複数形成された補強用のリブ２４４が形成されている。
【００３８】
本実施の形態に係る蓋２４０が第１の実施の形態に係る蓋１４０と異なる点は、支柱１１０に挿入された光ディスク１０を底面方向に押圧する複数の押圧片２４５を備えている点にある。押圧片２４５は、プラスチック等からなる板状部材を鉤状に屈曲形成している。すなわち、押圧片２４５は板バネを構成しているので弾性を有している。光ディスク１０と当接する押圧片２４５は、スタックリング１４よりも内側において光ディスク１０と当接するように、外側から内側に傾斜して配置されている。このようにスタックリング１４よりも内側を底面方向に押圧しているので、積み重ねて収納された光ディスク１０の記録面が互いに衝突することがない。特に、押圧片２４５による押圧力のバランスが悪くなっても、押圧片２４５に接する光ディスク１０が傾いて、その記録面が該光ディスク１０の下にある光ディスク１０に接することを防止できる。
【００３９】
このような収納容器２００では、第１の実施の形態と同様に。複数の光ディスク１０のセンターホール１２を支柱１１０に挿入した状態で収納する。具体的には、支柱１１０に光ディスク１０を挿入した後に、ケーシング２３０を下縁部が底板１２０の溝部１２２と係合するように被装する。そして、蓋２４０を支柱１１０のネジ部１１１と螺合させてケーシング２３０と底板１２０を一体に保持する。このとき、蓋２４０の押圧片２４５が光ディスク１０を底面方向に押圧するので、収納容器２００内において光ディスク１０が押圧片２４５と底板１２０の間に確実に挟持された状態になる。したがって、本実施の形態に係る収納容器２００によれば、複数の光ディスク１０をコンパクトに且つ安全に収納できる。
【００４０】
また、この収納容器２００では、押圧片２４５がスタックリング１４よりも内側を底面方向に押圧しているので、積み重ねて収納された光ディスク１０の記録面が互いに衝突することがない。特に、押圧片２４５による押圧力のバランスが悪くなっても、押圧片２４５に接する光ディスク１０が傾いて、その記録面が該光ディスク１０の下にある光ディスク１０に接することを防止できる。
【００４１】
なお、本実施の形態では、光ディスク１０を底面方向に押圧する手段として、板バネの一種である押圧片２４５を用いたが、本発明はこれに限定されるものではない。例えば他の形状の板バネ・ゴム・ワッシャーなど他の弾性部材を用いてもよい。
【００４２】
以上、第１及び第２の実施の形態では、収納容器１００，２００は、ケーシング１３０，２３０及び蓋１４０，２４０をそれぞれ備えているが、ケーシングと蓋とを一体に形成するようにしてもよい。この場合には、蓋の紛失等を防止できるという点で有利である。
【００４３】
【発明の効果】
以上詳述したように、本発明によれば、センターホールに柱状部を挿通させることにより複数の光ディスクを底板上に積み重ねて収納できる。また、押圧部材が光ディスクの環状凸部より内側を底板方向に押圧するので、光ディスクの上下動を抑えると共に、光ディスクの記録面が隣り合う光ディスクと衝突することがない。これにより、複数の光ディスクを安全に収納できる。このように、本発明に係る光ディスクの収納容器によれば、複数の光ディスクをコンパクトに且つ安全に収納できる。
【図面の簡単な説明】
【図１】第１の実施の形態に係る光ディスクの外観斜視図
【図２】図１におけるＡ−Ａ’線拡大断面図
【図３】第１の実施の形態に係る光ディスクの収納容器の外観斜視図
【図４】第１の実施の形態に係る光ディスクの収納容器の分解斜視図
【図５】第１の実施の形態に係る光ディスクの収納容器の断面図
【図６】第１の実施の形態に係る光ディスクの収納容器の拡大断面図
【図７】第１の実施の形態に係る複数の光ディスクの収納容器を積み重ねる様子を説明する図
【図８】第１の実施の形態に係るケーシングの拡大上面図
【図９】第１の実施の形態に係る光ディスクの収納容器の拡大断面図
【図１０】第１の実施の形態に係るケーシングを積み重ねる様子を説明する図
【図１１】第１の実施の形態に係る蓋の外観斜視図
【図１２】第１の実施の形態に係る蓋の断面図
【図１３】第１の実施の形態に係る光ディスクの収納容器に複数の光ディスクを収納したの断面図
【図１４】第１の実施の形態に係る光ディスクの収納容器の他の例の拡大断面図
【図１５】第２の実施の形態に係る光ディスクの収納容器の分解斜視図
【図１６】第２の実施の形態に係る蓋の外観斜視図
【図１７】第２の実施の形態に係る蓋の断面図
【図１８】第２の実施の形態に係る光ディスクの収納容器の拡大断面図
【符号の説明】
１０…光ディスク、１２…センターホール、１３…クランプ部、１４…スタックリング、１００，２００…光ディスクの収納容器、１１０…支柱、１１１…ネジ部、１２０…底板、１２５，１２６…凸部、１３０，２３０…ケーシング、１３２,２３２…凸部、１３５…押圧片、１４０，２４０…蓋、２４５…押圧片
【図１】
0003814121.tif 000002
【図２】
0003814121.tif 000003
【図３】
0003814121.tif 000004
【図４】
0003814121.tif 000005
【図５】
0003814121.tif 000006
【図６】
0003814121.tif 000007
【図７】
0003814121.tif 000008
【図８】
0003814121.tif 000009
【図９】
0003814121.tif 000010
【図１０】
0003814121.tif 000011
【図１１】
0003814121.tif 000012
【図１２】
0003814121.tif 000013
【図１３】
0003814121.tif 000014
【図１４】
0003814121.tif 000015
【図１５】
0003814121.tif 000016
【図１６】
0003814121.tif 000017
【図１７】
0003814121.tif 000018
【図１８】
0003814121.tif 000019